(57)【要約】【課題】本発明の課題は、家庭や出先などで煩わしさなく複数の家電用電子機器を操作することのできるリモコン機能を備えた携帯電話機を提供することである。【解決手段】上記課題は、赤外線通信機能を備える携帯電話機と、被制御機器を制御するリモコンデータを赤外線通信方式にて送信するリモコンとを具備する携帯電話システムであって、前記リモコンの所定メモリには、被制御機器の制御に用いるリモコンデータが予め登録されており、前記携帯電話機は、前記リモコンから送信された前記リモコンデータを赤外線にて受信する受信手段と、該受信手段で受信したリモコンデータを記憶する記憶手段と、前記記憶手段に記憶されたリモコンデータを、前記被制御機器を駆動制御するリモコン信号に変換して赤外線にて送信する送信手段とを備えることを特徴とする携帯電話システムにて解決される。【選択図】  図１
2004194085.tif 000002
【特許請求の範囲】
【請求項１】
赤外線通信機能を備える携帯電話機と、被制御機器を制御するリモコンデータを赤外線通信方式にて送信するリモコンとを具備する携帯電話システムであって、
前記リモコンの所定メモリには、被制御機器の制御に用いるリモコンデータが予め登録されており、
前記携帯電話機は、前記リモコンから送信された前記リモコンデータを赤外線にて受信する受信手段と、
該受信手段で受信したリモコンデータを記憶する記憶手段と、
前記記憶手段に記憶されたリモコンデータを、前記被制御機器を駆動制御するリモコン信号に変換して赤外線にて送信する送信手段とを備えることを特徴とする携帯電話システム。
【請求項２】
請求項１記載の携帯電話システムであって、
前記リモコンの所定メモリには、１または２以上の被制御機器の制御に用いるリモコンデータが予め登録されていることを特徴とする携帯電話システム。
【請求項３】
請求項１又は２記載の携帯電話システムであって、
前記携帯電話機の操作部の操作によって指示されたリモコンデータを前記記憶手段から読み出す読出手段と、
前記読出手段から読み出されたリモコンデータを、前記送信手段を用いて送信させるリモコンデータ送信制御手段とを備えることを特徴とする携帯電話システム。
【請求項４】
請求項２又は３記載の携帯電話システムであって、
前記記憶手段は、１または２以上の被制御機器に対応して予め設定してあるリモコンデータをプリセットデータとして記憶するプリセットデータ記憶手段と、
前記受信手段にてリモコンデータが受信された際に、該リモコンデータに対応するプリセットデータを前記プリセットデータ記憶手段から読み出して登録するプリセットデータ設定手段とを備えることを特徴とする携帯電話システム。
【請求項５】
請求項３記載の携帯電話システムであって、
前記携帯電話機は、着信信号を受信し、操作部の操作指示に係る信号を検出した際に、その検出した操作指示にて指示されたリモコンデータを前記記憶手段から読み出す着信時リモコンデータ読出手段を備えることを特徴とする携帯電話システム。
【請求項６】
赤外線通信機能を備える携帯電話機であって、
被制御機器を制御するリモコンデータを赤外線通信方式にて送信するリモコンの所定メモリに、該被制御機器の制御に用いるリモコンデータが予め登録されており、
前記リモコンから送信された前記リモコンデータを赤外線にて受信する受信手段と、
該受信手段で受信したリモコンデータを記憶する記憶手段と、
前記記憶手段に記憶されたリモコンデータを、前記被制御機器を駆動制御するリモコン信号に変換して赤外線にて送信する送信手段とを備えることを特徴とする携帯電話機。
【請求項７】
請求項６記載の携帯電話機であって、
前記リモコンの所定メモリには、１または２以上の被制御機器の制御に用いるリモコンデータが予め登録されていることを特徴とする携帯電話機。
【請求項８】
請求項６又は７記載の携帯電話機であって、
操作部の操作によって指示されたリモコンデータを前記記憶手段から読み出す読出手段と、
前記読出手段から読み出されたリモコンデータを、前記送信手段を用いて送信させるリモコンデータ送信制御手段とを備えることを特徴とする携帯電話機。
【請求項９】
請求項７又は８記載の携帯電話機であって、
前記記憶手段は、１または２以上の被制御機器に対応して予め設定してあるリモコンデータをプリセットデータとして記憶するプリセットデータ記憶手段と、
前記受信手段にてリモコンデータが受信された際に、該リモコンデータに対応するプリセットデータを前記プリセットデータ記憶手段から読み出して登録するプリセットデータ設定手段とを備えることを特徴とする携帯電話機。
【請求項１０】
請求項８記載の携帯電話機であって、
着信信号を受信し、操作部の操作指示に係る信号を検出した際に、その検出した操作指示にて指示されたリモコンデータを前記記憶手段から読み出す着信時リモコンデータ読出手段を備えることを特徴とする携帯電話機。
【発明の詳細な説明】
【０００１】
【発明の属する技術分野】
本発明は、携帯電話システム及び携帯電話機に係り、詳しくは、携帯電話機の赤外線通信機能を利用して家電製品の遠隔制御を行なうリモコンを可能にする携帯電話システム及び携帯電話機に関する。
【０００２】
【従来の技術】
近年のテレビジョン受信機、ビデオテープレコーダー等の電子機器は、リモコンを個別に備えており、従って、操作しようとする電子機器が変わるたびにリモコンを変えなければならず不便であった。そこで、複数の電子機器を一台で操作するためのコントロール装置として、各機器のメーカ指定方式のプリセットリモコン（例えば、特許文献１参照）や複数の電子機器のリモコン信号を１台のリモコンに登録し、該リモコンで全ての電子機器を操作できるいわゆる学習リモコン（例えば、特許文献２参照）が知られており、最近、衛星放送チューナに対応した学習リモコンも存在している。
【０００３】
また、Bluetoothなどを用いた無線接続システムにより、携帯電話機を用いてエアコンの遠隔操作や洗濯機の操作ガイダンス/ナビゲーションの実現を可能にする電灯線を媒体としたホームネットワーク“エコーネット”の開発が進められており、この技術によれば、家電間の連携、省エネ制御、遠隔監視、遠隔保守などが可能となる。
【０００４】
【特許文献１】
実開平０４−７５４９２号公報
【０００５】
【特許文献２】
特開平０７−２４０９７７号公報
【０００６】
【発明が解決しようとする課題】
上記のような従来の学習リモコンの多くは、赤外線受光モジュールを備え、ＴＶなどの赤外線リモコンのデータを受信、メモリに記憶させ、ボタン操作で複数の電子機器を制御する信号が送信できるようになっている。
【０００７】
一方、電波による通信機能を備えた携帯電話機は、現代人の必需品といっても過言ではなく普及率も高い。また、最近は赤外線通信機能を搭載し、パソコン間等でデータの授受を行なう携帯電話機も実用化されており、多くのユーザに利用されている。
【０００８】
上記のような学習リモコンは身近なものとして便利性は高まったものの、普及率は携帯電話機と比して決して高いものと言えない。また、上記のようなエコーネットを一家庭で実現するには、ユーザがネット対応専用の家電製品を新たに購入しなければならず、ユーザ側の負担が現状では大きいといった欠点がある。
【０００９】
本発明は、上述の事柄に留意してなされたもので、その課題とするところは、家庭や出先などで煩わしさなく複数の家電用電子機器を操作することのできるリモコン機能を備えた携帯電話機を提供することである。
【００１０】
【課題を解決するための手段】
上記課題を解決するため、本発明は、請求項１に記載されるように、赤外線通信機能を備える携帯電話機と、被制御機器を制御するリモコンデータを赤外線通信方式にて送信するリモコンとを具備する携帯電話システムであって、前記リモコンの所定メモリには、被制御機器の制御に用いるリモコンデータが予め登録されており、前記携帯電話機は、前記リモコンから送信された前記リモコンデータを赤外線にて受信する受信手段と、該受信手段で受信したリモコンデータを記憶する記憶手段と、前記記憶手段に記憶されたリモコンデータを、前記被制御機器を駆動制御するリモコン信号に変換して赤外線にて送信する送信手段とを備えることを特徴としている。
【００１１】
また、本発明の請求項２は、前記携帯電話システムであって、前記リモコンの所定メモリには、１または２以上の被制御機器の制御に用いるリモコンデータが予め登録されていることを特徴としている。
【００１２】
また、本発明の請求項３は、前記携帯電話システムであって、前記携帯電話機の操作部の操作によって指示されたリモコンデータを前記記憶手段から読み出す読出手段と、前記読出手段から読み出されたリモコンデータを、前記送信手段を用いて送信させるリモコンデータ送信制御手段とを備えることを特徴としている。
【００１３】
また、本発明の請求項４は、前記携帯電話システムであって、前記記憶手段は、１または２以上の被制御機器に対応して予め設定してあるリモコンデータをプリセットデータとして記憶するプリセットデータ記憶手段と、前記受信手段にてリモコンデータが受信された際に、該リモコンデータに対応するプリセットデータを前記プリセットデータ記憶手段から読み出して登録するプリセットデータ設定手段とを備えることを特徴としている。
【００１４】
また、本発明の請求項５は、前記携帯電話システムであって、前記携帯電話機は、着信信号を受信し、操作部の操作指示に係る信号を検出した際に、その検出した操作指示にて指示されたリモコンデータを前記記憶手段から読み出す着信時リモコンデータ読出手段を備えることを特徴としている。
【００１５】
上記本発明の構成によれば、携帯電話機にリモコン機能を付加することで、複数の家電製品リモコンの制御を一台の携帯電話機に集約して利用することができ、従来のような複数の家電製品のリモコンの中から所望のリモコンを利用する都度探し出してきて操作するといった煩わしい作業からユーザは開放される。
【００１６】
また、従来ある家電製品に新たなハードウェアやソフトウェアを追加しなくてもよいため、ユーザ側のコスト負担増を避けることができる。
【００１７】
【発明の実施の形態】
以下、本発明の実施の形態を図面に基づいて説明する。
【００１８】
図１は、本発明の実施の一形態に係る携帯電話システムを説明するための概略構成図であり、図２は同システムの携帯電話機の構成図である。
【００１９】
（実施の形態１）
図１において、この携帯電話システムは、携帯電話機１０と複数の家電製品（Ａ社家電製品Ａ３０、Ｂ社家電製品Ｂ３１、Ｇ社家電製品Ｇ３２）と該家電製品を制御するリモコン２０〜２２から構成される。上記携帯電話機１０と上記リモコン２０〜２２には赤外線通信を行なうための赤外線送受光機能が備えられている。なお、上記家電製品のリモコン２０〜２２は、狭い家屋の日本においては安価にできる赤外線リモコン制御方式が殆どであるが、米国を始めとする外国では電波（ＲＦ）を利用したＲＦリモコン制御方式も汎用されている。この両者の違いは単に送信媒体の違いであり、家電リモコンコードの送受信装置の送受信回路、変調回路、増幅回路等の違いとなって現れるが、それ以外は両者同様の構成であるので、以下の形態では上記リモコンの制御が赤外線にてなされる場合について説明し、電波によるリモコン制御の場合は以下の「赤外線」を「ＲＦ」に読み替えることとする。
【００２０】
本発明の携帯電話システムの基本動作は、図１に示すように、家電製品のリモコン２０〜２２から送信されるリモコンデータを赤外線にて携帯電話機１０が受信して記憶し、操作部の操作によって該記憶したリモコンデータが読み出され、該当の家電製品に向けて送信される。実際は、ユーザで選択された一のリモコンからのリモコンデータが携帯電話機１０にて受信されて記憶される。
【００２１】
このように本実施形態によれば、携帯電話機１０にリモコン機能が付加されるので、複数の機種のリモコンの中から所望のリモコンを探し出して操作するといった煩雑な作業からユーザは開放される。
【００２２】
次に、本発明に係る携帯電話機１０について説明する。
【００２３】
図２において、上記携帯電話機１０は、アンテナ１１、無線通信部１２、制御部１３、赤外線送信部１４、赤外線受信部１５、表示操作部１６、リモコンコードデータ記録部１７を含んで構成される。
【００２４】
表示操作部１６は複数の操作キーを含み、操作者がこれらのキーに対して操作を行なうと対応する信号を制御部１３に供給する。制御部１３は、本実施の形態例ではマイクロコンピュータを含んで構成され、携帯電話機１０全体を制御する。例えば、表示操作部１６において発信のための操作が行われた場合には、表示操作部１６からの信号に基づき無線通信部１２を通じて発信する。その際、表示操作部１６における操作に応じて電話番号などを、表示操作部１６内の液晶表示部（図示せず）に表示する。また、着信時には、無線通信部１２がアンテナ１１を通じて受信した信号に基づき、発音手段を鳴動させたり、表示操作部１６内の液晶表示部にメッセージなどを表示する。なお、携帯電話機１０の基本的な構成や動作についてはすでによく知られているので、ここでは詳しい説明は省略する。
【００２５】
赤外線送信部１４は例えば発光ダイオード（図示せず）を含み、赤外線受信部１５は例えばフォトトランジスタ（図示せず）を含んでいる。制御部１３は、特に本発明に係る機能を実現する手段として、図３に示すような処理を行なう。
【００２６】
図３は、一例として、Ａ社家電製品Ａのリモコンデータを登録する際の制御部１３における処理手順の一例を示す図である。ここでは、上記家電製品Ａとして一般のＴＶを想定する。
【００２７】
図３において、制御部１３は赤外線受信部ＯＮの状態（Ｓ１）でＡ社家電製品Ａ３０のリモコン２０から送信されたリモコンデータを受信（Ｓ２）すると、そのリモコンデータに定義されているリモコンコードがどのメーカのどの機種のどの操作キーなのかをリモコンコードデータ記憶部１７にアクセスして確認（Ｓ３）する。リモコンコードデータ記憶部１７には、図４に示すような各社、各機種毎の操作キーに対応したリモコンコードが記憶管理されている。同図（ａ）は、Ａ社家電製品Ａ（例：製品コード００１のＴＶ、ここで言う製品コードは、例えば、ＴＶの機種名等に相当するものである）の操作キーに対応するリモコンコードを記憶管理しており、操作者がこのＴＶ用リモコン２０の操作キー上にあるチャネル（例：ＣＨ１）を携帯電話機１０にプリセットさせたい場合は、チャネル１に対応するリモコンコード（本例では、バイナリデータ：００００１０１１に対応）がリモコン２０より携帯電話機１０に対して赤外線送信される。また、同図（ｂ）はＡ社家電製品Ｂ（例：エアコン）の操作キーに対応するリモコンコードを示しており、操作者がこのエアコン用リモコンの操作キー上にある暖房ＯＮ（Ｈｅａｔ  ＯＮ）を携帯電話機１０にプリセットさせたい場合には、暖房ＯＮに対応するリモコンコード（本例では、バイナリデータ：１００１１００１に対応）がリモコンより携帯電話機１０に送信される。上記例では、説明を平易にするために、一社の家電製品に対応するリモコンコードデータについて説明したが、勿論リモコンコードデータ記憶部には、各社、複数の家電製品の操作キーに対応したリモコンコードが記憶管理される。
【００２８】
図３に戻って、制御部１３は（Ｓ３）の処理で、リモコン２０から送られてきたリモコンコードと一致するリモコンコードをリモコンコードデータ記憶部１７で記憶管理されているリモコンコードを参照して探し出し、該リモコンコードに対応する操作キーが判明すると、表示操作部１６においてユーザにて選択押下されたプリセットしたいキーに該操作キーのリモコンコードを割り付けてリモコンコードデータ記憶部１７の所定領域あるいは所定のメモリ（図示せず）にプリセット（Ｓ４）登録する。なお、上記リモコン２０の他のキー（図示せず、例えば、チャネル２．．．）についても、上記同様の操作によりプリセット登録が行なわれる。
【００２９】
このように本実施形態によれば、リモコンの各操作に対応するリモコンコードが赤外線通信を利用して携帯電話機１０に登録され、ユーザの操作により該当の家電を制御するリモコンコードが赤外線にて送信される。すなわち、携帯電話機１０にリモコンの機能が付加されるので、複数の家電製品リモコンの制御を一台の携帯電話機に集約して利用することができ、従来のような複数の家電製品のリモコンの中から所望のリモコンを利用する都度探し出してきて操作するといった煩雑な作業からユーザを開放することができる。例えば、図５に示すように、エアコンやＴＶ、ＶＴＲ等の家電製品を一台の携帯電話機１０にて制御することができるようになる。
【００３０】
また、本発明では、上記のような家電製品に新たなハードウェアやソフトウェアの追加を必要としないため、コストの増加を招かないで、ユーザの利便性を向上させることができる。
【００３１】
さらに、本発明は携帯電話機１０とリモコン間の赤外線通信機能を利用するため、携帯電話−基地局間の通信を削減することができ、インフラの負荷の軽減が可能である。
【００３２】
（実施の形態２）
上記実施の形態１は、リモコンと携帯電話機が赤外線通信を行ない、携帯電話機１０にプリセットしたい操作キーを設定登録するという形態であったが、本発明はこのような形態に限定されるものではない。例えば、携帯電話機１０の内部にＲＯＭなどのメモリ（図示せず）を設け、これにＡ社、Ｂ社、……などの各社のリモコンのリモコンコードを予め格納する。そして、表示操作部１６の操作キーと、いずれかの会社を示すキーを選択操作することによって、ある操作キーに指定会社のリモコン操作機能を設定（所定のメモリに登録）する。制御部１３は、このようにして所定のメモリに登録された該当のコードデータをユーザの表示操作部の操作キーの操作に基づいて赤外線送信部１４に出力する。
【００３３】
このように本実施形態によれば、各会社の家電製品の操作キーに対応するリモコンコードデータが予め携帯電話機１０内のＲＯＭに格納されているので、ユーザは必要に応じて携帯電話機１０にプリセット登録したい任意の会社の家電製品のリモコンコードをＲＯＭから読み出してプリセットするだけなので、多くのリモコンと対向してリモコンのリモコンコードを登録し学習させるといった実施の形態１と比してリモコン機能設定時の手間が大幅に省けるといった効果を奏す。
【００３４】
上記実施の形態１及び２によれば、図５に示すように、家１００の中の家電製品４０〜４２（一例：エアコン、ＴＶ、ＶＴＲ）を携帯電話機１０にて制御することが可能となるが、この方法以外にも家１００の中の家電製品４０〜４２家１００を本発明に係る携帯電話機１０を用いて制御することが可能である。
【００３５】
例えば、図６に示すように、家１００の中の家電製品４０〜４２の前に携帯電話機１０を置いておいて（ただし、携帯電話機１０からの赤外線電波が家電製品に届く距離）、家１００の外部、例えば、外出先の固定電話機５０等（携帯電話機であってもよい）から上記携帯電話機１０に電話をかけ、発信側の上記固定電話機５０から着信側の携帯電話機１０に家電製品を制御するための指令信号を送出することで容易に実現することができる。
【００３６】
（実施の形態３）
ところで、携帯電話機１０の無線通信部１２の通信機能には、電話回線を設定するための通信機能（回線交換機能）に加え、インターネットへの接続機能（パケット通信機能）が通常備えられる。
【００３７】
本発明の実施形態３は、上記インターネットへの接続機能を利用したもので、図７に示すように、携帯電話機１０がインターネット２００上にあるＥＰＧ (Eloctronic Program Guide：電子番組表の略で、該サーバには最新のテレビ番組情報が蓄積されている)サーバ３００にアクセスし、該ＥＰＧサーバ３００より希望の番組表の情報をダウンロードし、ＶＴＲ、ＤＶＤ等にダウンロードした番組表を赤外線にて送信する。これにより、ユーザは好みの番組の録画予約をＶＴＲやＤＶＤ等に対し携帯電話機１０からの操作により行なえるようになり、使い勝手も向上する。
【００３８】
以上、説明してきたように、本実施形態によれば、携帯電話機にリモコン機能を付加することで、複数の家電製品リモコンの制御を一台の携帯電話機に集約して利用することができ、従来のような複数の家電製品のリモコンの中から所望のリモコンを利用する都度探し出してきて操作するといった煩雑な作業からユーザを開放することができる。
【００３９】
また、従来ある家電製品に新たなハードウェアやソフトウェアを追加しなくてもよいため、ユーザ側のコスト負担増を避けることができる。
【００４０】
上記例において、携帯電話機１０の赤外線受信部１５の赤外線受信機能が受信手段に、リモコンコードデータ記憶１７のデータ記憶機能が記憶手段、プリセットデータ記憶手段に対応する。また、赤外線送信部１４のリモコン信号送信機能が送信手段に対応する。また、制御部１３のリモコンコード読出し機能が読出手段に、リモコンコード送信制御機能がリモコンデータ送信制御手段に、プリセット登録機能がプリセットデータ設定手段に、着信制御機能が着信時リモコンデータ読出手段に対応する。
【００４１】
【発明の効果】
以上、説明したように、本願発明によれば、本実施形態によれば、携帯電話機にリモコン機能を付加することで、複数の家電製品リモコンの制御を一台の携帯電話機に集約して利用することができ、従来のような複数の家電製品のリモコンの中から所望のリモコンを利用する都度探し出してきて操作するといった煩雑な作業からユーザを開放することができる。
【図面の簡単な説明】
【図１】本発明の実施の一形態に係る携帯電話システムを説明するための概略図である。
【図２】図１に示す携帯電話機の構成図である。
【図３】Ａ社家電製品Ａのリモコンデータを登録する際の制御部における処理手順の一例を示す図である。
【図４】リモコンコードデータ記憶部で記憶管理されるデータの一例を示す図である。
【図５】本発明に係る携帯電話機における家電製品の制御例を示す概念図である。
【図６】外出先から本発明に係る携帯電話機に電話をかけて家電製品を遠隔制御する概念を示す図である。
【図７】番組データをインターネットを介して取得する本発明の実施の形態３を説明するための図である。
【符号の説明】
１０  携帯電話機
１１  アンテナ
１２  無線通信部
１３  制御部
１４  赤外線送信部
１５  赤外線受信部
１６  表示操作部
１７  リモコンコードデータ記憶部
２０〜２２  家電製品リモコン
３０〜３２  家電製品
４０  エアコン
４１  ＴＶ
４２  ＶＴＲ
５０  固定電話
１００  ホーム
２００  インターネット網
３００  ＥＰＧサーバ
【図１】
2004194085.tif 000003
【図２】
2004194085.tif 000004
【図３】
2004194085.tif 000005
【図４】
2004194085.tif 000006
【図５】
2004194085.tif 000007
【図６】
2004194085.tif 000008
【図７】
2004194085.tif 000009